【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
リグノセルロース材のメカニカルリファイナーのためのリファイニングプレートセグメントであって、該リファイニングプレートセグメントは、プレートの凸状コニカル基板上に凸状コニカルリファイニング表面を含み、該リファイニング表面は対向するリファイナープレートの凹状コニカルリファイニング表面に向かい合うように適合されており、
前記凸状コニカルリファイニング表面は、バーと、隣接するバーの間に形成された溝とを含み、それぞれのバーの角度は、リファイナーの回転軸に平行な参照線に対して、放射状に外側の方向に沿って少なくとも１５度増加しており、この角度は、リファイニング表面の外周部において１０〜４５度のいずれかの範囲であるホールドバック角度であり、
前記バーのそれぞれは、不規則な表面を有するリーディング側壁を含み、前記不規則な表面は側壁から隣接するバー上の側壁へと向かって外側に延びている突起を含み、前記不規則な表面は、リファイニング表面の外周部またはその近傍から延び、バーに沿って放射状に内側に延びていることを特徴とする凸状コニカルリファイニングプレートセグメント。
【請求項２】
バーのそれぞれが、バー全体にわたって延びるプレートの放射に対して湾曲した長手方向の形状を有する請求項１の凸状コニカルリファイニングプレートセグメント。
【請求項３】
前記角度が、放射状に外側の方向に沿って連続的および徐々に増加する請求項１の凸状コニカルリファイニングプレートセグメント。
【請求項４】
前記角度が、放射状に外側の方向に沿って段階的に増加する請求項１の凸状コニカルリファイニングプレートセグメント。
【請求項５】
リファイニング表面への放射状に内側の入口において、バーのそれぞれが、バーに対応する放射ラインの２０度以内の角度で配置されている請求項１の凸状コニカルリファイニングプレートセグメント。
【請求項６】
リファイニングプレートセグメントが、回転リファイニングコーンのために適合されており、リファイナーに装着されたときに静止凹状リファイニングコーンに向き合うように適合されている請求項１の凸状コニカルリファイニングプレートセグメント。
【請求項７】
リファイニング表面が、複数のリファイニングゾーンを含み、第一のリファイニングゾーンは比較的広いバーと広い溝を有し、第二のリファイニングゾーンは比較的狭いバーと狭い溝を有し、第二のリファイニングゾーンはプレートセグメント上において第一のリファイニングゾーンから放射状に外側にある請求項１の凸状コニカルリファイニングプレートセグメント。
【請求項８】
ホールドバック角が、第二のリファイニングゾーンのバーに関するものである請求項７の凸状コニカルリファイニングプレートセグメント。
【請求項９】
不規則な表面が、一連の傾斜を含み、それぞれの傾斜がそれぞれの溝の基板においてより低いエッジを有し、一連の傾斜が少なくとも部分的にリーディング側壁の上方に延びている請求項１の凸状コニカルリファイニングプレートセグメント。
【請求項１０】
不規則な表面が、リファイニング表面の入口に達することなくバーに沿って延びている請求項１の凸状コニカルリファイニングプレートセグメント。
【請求項１１】
リグノセルロース材のメカニカルリファイナーのための凸状コニカルリファイナープレートであって、該リファイナープレートは、基板上に凸状コニカルリファイニング表面を含み、該リファイニング表面は対向するリファイナープレートの凹状コニカルリファイニング表面に向かい合うように適合されており、
前記リファイニング表面は、バーと、バーの間にある溝とを含み、前記バーは放射状に外側のセクションを少なくとも有し、該セクションは、バーの入口において対応する放射ラインに対して放射ラインの２０度以内のそれぞれのバーの角度と、バーの外周部において１０〜４５度の範囲のホールドバック角度を有し、前記角度はバーの放射状に内側の入口から外側の外周部までで少なくとも１５度増加し、
バーのそれぞれは、放射状に外側のセクションにおいて不規則な表面を有する側壁を含み、前記不規則な表面は、側壁から隣接するバーの上の側壁へ向けて外側に延びる突起を含み、
前記バーのそれぞれは、不規則な表面を有するリーディング側壁を含み、前記不規則な表面は側壁から隣接するバーの上の側壁へ向けて外側に延びる突起を含み、前記不規則な表面はリファイニング表面の外周部またはその近傍から延び、バーに沿って放射状に内側に延びていることを特徴とする凸状コニカルリファイナープレート。
【請求項１２】
バーのそれぞれが、バー全体にわたって延びるプレートの放射に対して湾曲した長手方向の形状を有する請求項１１の凸状コニカルリファイニングプレート。
【請求項１３】
前記角度が放射状に外側の方向に沿って連続的および徐々に増加する請求項１１の凸状コニカルリファイニングプレート。
【請求項１４】
前記角度が放射状に外側の方向に沿って段階的に増加する請求項１１の凸状コニカルリファイニングプレート。
【請求項１５】
放射状に内側のリファイニング表面への入口において、バーのそれぞれが、バーに対応する放射ラインの２０度以内の角度で配置されている請求項１１の凸状コニカルリファイニングプレート。
【請求項１６】
リファイニングプレートセグメントが回転リファイニングコーンのために適合されており、リファイナーに装着されたときに静止凹状リファイニングコーンに向き合うように適合されている請求項１１の凸状コニカルリファイニングプレート。
【請求項１７】
不規則な表面の突起が、ジグザグ状、鋸歯状、一連の段差状、正弦または横向きのＺパターンの少なくとも一つのパターンを形成する請求項１１の凸状コニカルリファイナープレートセグメント。
【請求項１８】
不規則な表面上の突起が、バーの幅を、不規則な表面がある側壁を有するバーの部分に沿って、バーの幅の少なくとも５分の１だけ変化させている請求項１１の凸状コニカルリファイナープレートセグメント。
【請求項１９】
リファイニング表面が、外側のリファイニング表面を含み、該リファイニング表面が内側のリファイニングセクションのバーにおける密度より高いバーの密度を有する請求項１１の凸状コニカルリファイナープレートセグメント。
【請求項２０】
不規則な表面の突起が、側壁の上方エッジにおいて最も顕著であり、プレートの基板の直近でより顕著でない請求項１１の凸状コニカルリファイニングプレートセグメント。
【請求項２１】
リファイニング表面が、複数のリファイニングゾーンを含み、第一のリファイニングゾーンが比較的広いバーと広い溝を有し、第二のリファイニングゾーンが比較的狭いバーと狭い溝を有し、第二のリファイニングゾーンがプレートセグメント上で第一のリファイニングゾーンから放射状に外側にある請求項１１の凸状コニカルリファイニングプレート。
【請求項２２】
ホールドバック角が、第二のリファイニングゾーンのバーに関するものである請求項１１の凸状コニカルリファイニングプレート。
【請求項２３】
不規則な表面が、一連の傾斜を含み、それぞれの傾斜がそれぞれの溝の基板においてより低いエッジを有し、一連の傾斜が少なくとも部分的にリーディング側壁の上方に延びている請求項１１の凸状コニカルリファイニングプレート。
【請求項２４】
不規則な表面が、リファイニング表面の入口に達することなくバーに沿って延びている請求項１１の凸状コニカルリファイニングプレート。